(57)【要約】      （修正有）【課題】使用者の爪先に特別な履き心地を与える、簡易かつ低コストの長靴を提供する。【解決手段】長靴本体１１の内面に裏布１２が設けられてなる長靴１０において、裏布１２の脚部２１がウレタン素材２１Ａからなり、裏布１２の爪先部２２がボア素材２２Ａからなる。【選択図】図１
0003156786.tif 000002
【実用新案登録請求の範囲】
【請求項１】
長靴本体の内面に裏布が設けられてなる長靴において、
裏布の素材と爪先部の素材を異ならせてなることを特徴とする長靴。
【請求項２】
長靴本体の内面に裏布が設けられてなる長靴において、
裏布の脚部がウレタン素材からなり、裏布の爪先部がボア素材からなることを特徴とする長靴。
【請求項３】
前記裏布が、脚部と、爪先部とをジグザグ縫いにより縫い合わされてなる請求項１又は２に記載の長靴。
【請求項４】
前記裏布が長靴本体の内面に接着されてなる請求項１〜３のいずれかに記載の長靴。
【請求項５】
前記裏布が長靴本体の内面に脱着されるインナーソックスである請求項１〜３のいずれかに記載の長靴。
【考案の詳細な説明】
【技術分野】
【０００１】
本考案は長靴に関する。
【背景技術】
【０００２】
従来の長靴は、特許文献１に記載の如く、ゴムからなる長靴本体の内面の全域にメリヤス生地等からなるインナーソックス（靴下状袋体）を接着等して設けている。
【先行技術文献】
【特許文献】
【０００３】
【特許文献１】特開平9-290469
【考案の概要】
【考案が解決しようとする課題】
【０００４】
従来の長靴は、特許文献１に記載の如く、長靴本体の内面に設けられるインナーソックスの全体をメリヤス生地等の単一素材にて構成している。従って、例えば使用者の爪先の保温を確保するため、インナーソックスをボア素材にて構成しようとするときには、インナーソックスの全体をボア素材にて構成するものになり、過度の保温、コスト高の不都合を招く。
【０００５】
本考案の課題は、簡易かつ低コストの長靴により、使用者の爪先に特別な履き心地を提供することにある。
【課題を解決するための手段】
【０００６】
請求項１の考案は、長靴本体の内面に裏布が設けられてなる長靴において、裏布の素材と爪先部の素材を異ならせてなるようにしたものである。
【０００７】
請求項２の考案は、長靴本体の内面に裏布が設けられてなる長靴において、裏布の脚部がウレタン素材からなり、裏布の爪先部がボア素材からなるようにしたものである。
【０００８】
請求項３の考案は、請求項１又は２の考案において更に、前記裏布が、脚部と、爪先部とをジグザグ縫いにより縫い合わされてなるようにしたものである。
【０００９】
請求項４の考案は、請求項１〜３のいずれかの考案において更に、前記裏布が長靴本体の内面に接着されてなるようにしたものである。
【００１０】
請求項５の考案は、請求項１〜３のいずれかの考案において更に、  前記裏布が長靴本体の内面に脱着されるインナーソックスであるようにしたものである。
【考案の効果】
【００１１】
（請求項１）
(a)長靴本体の内面に裏布が設けられてなる長靴において、裏布の素材と爪先部の素材を異ならせる。従って、裏布の爪先部だけを保温素材、涼感素材又は抗菌吸汗素材等の付加価値素材により構成し、裏布のその余の脚部をメリヤス生地、ウレタン素材、又はその他の化繊生地等の通常素材にて構成することができる。これにより、長靴の全体構成を簡易かつ低コストにし、使用者の爪先に保温、涼感、抗菌吸汗等の特別な履き心地を提供することができる。
【００１２】
（請求項２）
(b)長靴本体の内面に裏布が設けられてなる長靴において、裏布の脚部がウレタン素材からなり、裏布の爪先部がボア素材からなるものにする。従って、裏布の爪先部だけを高級保温素材であるボア素材により構成し、裏布のその余の脚部を通常素材であるウレタン素材により構成することができる。これにより、長靴の全体構成を簡易かつ低コストにし、使用者の爪先を適度に保温して履き心地を向上させることができる。
【００１３】
裏布の全体をウレタン素材にて構成したものよりも、使用者の爪先の冷えを防ぐことができる。
裏布の全体をボア素材にて構成したものによる過度の保温を回避でき、寒冷地以外の地域でも快適着用できる。
【００１４】
（請求項３）
(c)裏布が、脚部と、爪先部とをジグザグ縫いにより縫い合わせてなるものにする。足底等に直接当たる脚部と爪先部との縫製部分がジグザグ縫いによるものとされるから、縫製部分の凹凸を極力なくし、かつ強い縫製力を発揮できる。
【００１５】
（請求項４）
(d)裏布が長靴本体の内面に接着される。従って、製作コストを低減できる。
【００１６】
（請求項５）
(e)裏布が長靴本体の内面に脱着されるインナーソックスからなるものにする。従って、長靴本体からインナーソックスを取り出し、その汚れを除去したり、乾燥させたりすることができ、清潔性を向上できる。
【図面の簡単な説明】
【００１７】
【図１】図１は実施例１の長靴を示す断面図である。
【図２】図２はインナーソックスを示す斜視図である。
【図３】図３は実施例２の長靴を示す断面図である。
【考案を実施するための形態】
【００１８】
（実施例１）（図１、図２）
図１に示す長靴１０は、ゴムからなる長靴本体１１の内面に裏布１２（足に触れる部分）としてのインナーソックス（靴下状袋体）２０を設けている。
【００１９】
インナーソックス２０は、図２に示す如く、脚部（足の爪先部以外の踵部、甲部又は足底部を含む脚部）２１がウレタン素材２１Ａからなり、爪先部２２がボア素材２２Ａからなるものである。
【００２０】
インナーソックス２０の脚部２１は、本実施例では、ウレタン素材２１Ａの外側面（長靴本体１１の内面に接する面）と内側面のそれぞれにポリエステル生地等の化繊生地２１Ｂ、２１Ｃを接着してある。化繊生地２１Ｂ、２１Ｃは、ウレタン素材２１Ａを保護してその破損を防ぐ。
【００２１】
インナーソックス２０の爪先部２２は、本実施例では、ボア素材２２Ａの外側面（長靴本体１１の内面に接する面）にポリエステル生地等の化繊生地２２Ｂを設けてある。化繊生地２２Ｂはボア素材２２Ａの基台になる。ボア素材２２Ａは、例えば、化繊繊維80〜90％及び羊毛10〜20％からなる。
【００２２】
インナーソックス２０は、脚部２１と爪先部２２をジグザグ縫い２３により縫い合わしてある。尚、脚部２１と爪先部２２の縫い合わせ部の外側面（長靴本体１１の内面に接する面）には、ジグザグ縫い２３を覆うカバー生地２４を貼着してある。
【００２３】
本実施例では、インナーソックス２０が長靴本体１１の内面に接着されている。長靴１０の製法は、例えば、インナーソックス２０を製作し、このインナーソックス２０を型部材に被せ、インナーソックス２０の外側面に長靴本体１１のゴムシートを巻いて貼り付けてゴム靴素材を形成し、このゴム靴素材の底部に長靴本体１１のゴム製靴底部を接合して加硫成形を行ない、長靴１０を得る。
【００２４】
本実施例によれば以下の作用効果を奏する。
(a)長靴本体１１の内面に裏布１２（本実施例ではインナーソックス２０）が設けられてなる長靴において、裏布１２（本実施例ではインナーソックス２０）の脚部２１がウレタン素材２１Ａからなり、裏布１２（本実施例ではインナーソックス２０）の爪先部２２がボア素材２２Ａからなるものにする。従って、裏布１２（本実施例ではインナーソックス２０）の爪先部２２だけを高級保温素材であるボア素材２２Ａにより構成し、裏布１２（本実施例ではインナーソックス２０）のその余の脚部２１を通常素材であるウレタン素材２１Ａにより構成することができる。これにより、長靴１０の全体構成を簡易かつ低コストにし、使用者の爪先を適度に保温して履き心地を向上させることができる。
【００２５】
裏布１２（本実施例ではインナーソックス２０）の全体をウレタン素材２１Ａにて構成したものよりも、使用者の爪先の冷えを防ぐことができる。
裏布１２（本実施例ではインナーソックス２０）の全体をボア素材２２Ａにて構成したものによる過度の保温を回避でき、寒冷地以外の地域でも快適着用できる。
【００２６】
(b)裏布１２（本実施例ではインナーソックス２０）が、脚部２１と、爪先部２２とをジグザグ縫い２３により縫い合わせてなるものにする。足底等に直接当たる脚部２１と爪先部２２との縫製部分がジグザグ縫い２３によるものとされるから、縫製部分の凹凸を極力なくし、かつ強い縫製力を発揮できる。
【００２７】
(c)裏布１２（本実施例ではインナーソックス２０）が長靴本体１１の内面に接着される。従って、製作コストを低減できる。
【００２８】
（実施例２）（図３）
図３に示す長靴１０Ａが前述した長靴１０と異なる点は、ゴムからなる長靴本体１１の内面、本実施例では長靴本体１１の内側面に貼着してあるメリヤス生地１１Ａの内面に、前述のインナーソックス２０を脱着可能に設けたものである。
【００２９】
この長靴１０Ａによれば、以下の作用効果を奏する。
(a)長靴本体１１の内面に裏布１２（本実施例ではインナーソックス２０）が設けられてなる長靴１０Ａにおいて、裏布１２（本実施例ではインナーソックス２０）の脚部２１がウレタン素材２１Ａからなり、裏布１２（本実施例ではインナーソックス２０）の爪先部２２がボア素材２２Ａからなるものにする。従って、裏布１２（本実施例ではインナーソックス２０）の爪先部２２だけを高級保温素材であるボア素材２２Ａにより構成し、裏布１２（本実施例ではインナーソックス２０）のその余の脚部２１を通常素材であるウレタン素材２１Ａにより構成することができる。これにより、長靴１０Ａの全体構成を簡易かつ低コストにし、使用者の爪先を適度に保温して履き心地を向上させることができる。
【００３０】
裏布１２（本実施例ではインナーソックス２０）の全体をウレタン素材２１Ａにて構成したものよりも、使用者の爪先の冷えを防ぐことができる。
裏布１２（本実施例ではインナーソックス２０）の全体をボア素材２２Ａにて構成したものによる過度の保温を回避でき、寒冷地以外の地域でも快適着用できる。
【００３１】
(b)裏布１２（本実施例ではインナーソックス２０）が、脚部２１と、爪先部２２とをジグザグ縫い２３により縫い合わせてなるものにする。足底等に直接当たる脚部２１と爪先部２２との縫製部分がジグザグ縫い２３によるものとされるから、縫製部分の凹凸を極力なくし、かつ強い縫製力を発揮できる。
【００３２】
(c)裏布１２が長靴本体１１の内面に脱着されるインナーソックス２０からなるものにする。従って、長靴本体１１からインナーソックス２０を取り出し、その汚れを除去したり、乾燥させたりすることができ、清潔性を向上できる。
【００３３】
尚、実施例１、２の長靴１０、１０Ａを構成する裏布１２（インナーソックス２０）の脚部２１は、ウレタン素材２１Ａに限らず、メリヤス生地、又はポリエステル生地等の化繊生地等に代えることができる。
【００３４】
また、実施例１、２の長靴１０、１０Ａを構成する裏布１２は、必ずしもインナーソックス２０の形態によることを必須としない。
【００３５】
以上、本考案の実施例を図面により詳述したが、本考案の具体的な構成はこの実施例に限られるものではなく、本考案の要旨を逸脱しない範囲の設計の変更等があっても本考案に含まれる。例えば、本考案の長靴としては、長靴本体の内面に裏布が設けられてなる長靴において、裏布の素材と爪先部の素材を異ならせることができる。従って、裏布の爪先部だけを保温素材、涼感素材又は抗菌吸汗素材等の付加価値素材により構成し、裏布のその余の脚部をメリヤス生地、ウレタン素材、又はその他の化繊生地等の通常素材にて構成することができる。これにより、長靴の全体構成を簡易かつ低コストにし、使用者の爪先に保温、涼感、抗菌吸汗等の特別な履き心地を提供することができる。
【産業上の利用可能性】
【００３６】
本考案は、長靴本体の内面に裏布が設けられてなる長靴において、裏布の素材と爪先部の素材を異ならせてなるものである。また、本考案は、長靴本体の内面に裏布が設けられてなる長靴において、裏布の脚部がウレタン素材からなり、裏布の爪先部がボア素材からなるものである。これにより、簡易かつ低コストの長靴により、使用者の爪先に特別な履き心地を提供することができる。
【符号の説明】
【００３７】
１０、１０Ａ  長靴
１１  長靴本体
２０  インナーソックス
２１  脚部
２１Ａ  ウレタン素材
２２  爪先部
２２Ａ  ボア素材
２３  ジグザグ縫い
【図１】
0003156786.tif 000003
【図２】
0003156786.tif 000004
【図３】
0003156786.tif 000005
【手続補正書】
【提出日】平成21年11月5日(2009.11.5)
【手続補正１】
【補正対象書類名】実用新案登録請求の範囲
【補正対象項目名】全文
【補正方法】変更
【補正の内容】
【実用新案登録請求の範囲】
【請求項１】
長靴本体の内面に裏布が設けられてなる長靴において、
裏布の脚部の素材と裏布の爪先部の素材を異ならせてなることを特徴とする長靴。
【請求項２】
長靴本体の内面に裏布が設けられてなる長靴において、
裏布の脚部がウレタン素材からなり、裏布の爪先部がボア素材からなることを特徴とする長靴。
【請求項３】
前記裏布が、脚部と、爪先部とをジグザグ縫いにより縫い合わされてなる請求項１又は２に記載の長靴。
【請求項４】
前記裏布が長靴本体の内面に接着されてなる請求項１〜３のいずれかに記載の長靴。
【請求項５】
前記裏布が長靴本体の内面に脱着されるインナーソックスである請求項１〜３のいずれかに記載の長靴。
【手続補正２】
【補正対象書類名】明細書
【補正対象項目名】０００６
【補正方法】変更
【補正の内容】
【０００６】
請求項１の考案は、長靴本体の内面に裏布が設けられてなる長靴において、裏布の脚部の素材と裏布の爪先部の素材を異ならせてなるようにしたものである。
【手続補正３】
【補正対象書類名】明細書
【補正対象項目名】００１１
【補正方法】変更
【補正の内容】
【００１１】
（請求項１）
(a)長靴本体の内面に裏布が設けられてなる長靴において、裏布の脚部の素材と裏布の爪先部の素材を異ならせる。従って、裏布の爪先部だけを保温素材、涼感素材又は抗菌吸汗素材等の付加価値素材により構成し、裏布のその余の脚部をメリヤス生地、ウレタン素材、又はその他の化繊生地等の通常素材にて構成することができる。これにより、長靴の全体構成を簡易かつ低コストにし、使用者の爪先に保温、涼感、抗菌吸汗等の特別な履き心地を提供することができる。